(57)【要約】【課題】大きなスペースを必要とせずに防塵ネットの清掃を簡易に行うことができ、作業者に負担をかけずに、防塵ネットを交換することなく長期にわたって目詰まりのない良好な状態に維持することができる建設機械の防塵装置を提供する。【解決手段】ファン２８による気流によって冷却される熱源２２の防塵を行う建設機械の防塵装置において、前記建設機械の熱源２２を冷却する前記気流の通り道で該熱源２２よりも前記気流の上流側に設けられ、該気流中の塵埃を取り除く防塵ネット１２と、該防塵ネット１２の前記気流の上流側の面１２Ａに当接しつつ該防塵ネット１２と平行に移動可能に構成した清掃用ブラシ１４と、を備える。【選択図】図１
2010215199.tif 000002
【特許請求の範囲】
【請求項１】
ファンによる気流によって冷却される熱源の防塵を行う建設機械の防塵装置において、
前記建設機械の熱源を冷却する前記気流の通り道で該熱源よりも前記気流の上流側に設けられ、該気流中の塵埃を取り除く防塵ネットと、
該防塵ネットの前記気流の上流側の面に当接しつつ該防塵ネットと平行に移動可能に構成した清掃用ブラシと、
を備えることを特徴とする建設機械の防塵装置。
【請求項２】
請求項１において、
前記清掃用ブラシを、油圧アクチュエータまたは電動モータにて駆動することを特徴とする建設機械の防塵装置。
【請求項３】
請求項１または２において、
更に、前記防塵ネットの両面間の気圧差を検出するための気圧検出センサを備え、
前記ファンが作動中に該気圧差が所定の値以上となったとき、前記防塵ネットの目詰まりが発生したと判断することを特徴とする建設機械の防塵装置。
【請求項４】
請求項１〜３のいずれかにおいて、
更に、前記防塵ネットの下流側の風量を検出する風量センサを備え、
前記ファンが作動中に該風量が所定の値以下となったとき、前記防塵ネットの目詰まりが発生したと判断することを特徴とする建設機械の防塵装置。
【請求項５】
請求項３または４において、
前記防塵ネットの目詰まりが発生したと判断されたとき、警告を発することを特徴とする建設機械の防塵装置。
【請求項６】
請求項３〜５のいずれかにおいて、
前記防塵ネットの目詰まりが発生したと判断されたとき、前記ファンを停止させるとともに、前記清掃用ブラシを移動させて自動的に清掃作業に入ることを特徴とする建設機械の防塵装置。
【請求項７】
請求項１〜６のいずれかにおいて、
前記清掃用ブラシを移動させている間、清掃作業中であることの告知を行うことを特徴とする建設機械の防塵装置。
【請求項８】
請求項１〜７のいずれかにおいて、
前記清掃用ブラシの移動により前記防塵ネットから払い落とされた塵埃を収容する収容部を備え、かつ、該収容部に収容された塵埃の重量が所定の値を超えると、該収容部に収容された塵埃が自動的に外部に排出されるように構成されていることを特徴とする建設機械の防塵装置。
【発明の詳細な説明】
【技術分野】
【０００１】
本発明は、ファンによる気流によって冷却される熱源の防塵を行う建設機械の防塵装置に関する。
【背景技術】
【０００２】
建設機械の熱交換器、例えばラジエータやオイルクーラ等に対して、近年ではほとんどの場合、防塵ネットが装着されている。この防塵ネットは、塵埃の多い作業現場で特に有効となるもので、熱交換器等の防塵されるべき部分の前面に配置される。そして、この位置において塵埃を取り除き、熱交換器等が目詰まりを起こすことを未然に防止している。
【０００３】
しかしながら、油圧ショベル等の建設機械は様々な環境下で使用され、最近では特にリサイクル施設での使用頻度が増加している。リサイクル施設では様々な廃棄物を処理する関係上、塵や埃が舞い易く、防塵ネットが短時間で目詰まりし、熱交換器がオーバーヒートを引き起こすという問題が頻発している。
【０００４】
また、建設機械を用いて作業を進めていく上で、防塵ネットが目詰まりするたびにオペレータ等の作業者が防塵ネットを清掃することは非常に煩わしい作業となっている。
【０００５】
これに対し、特許文献１には、建設機械の熱交換器等に使用される防塵装置において、前記熱交換器等の防塵されるべき部分を挟んで一対のローラを配置するとともに、前記防塵ネットを帯状に形成し、この防塵ネットを前記一対のローラに巻き付け又は巻き戻し可能とし、該帯状防塵ネットを長手方向に移動させることにより、前記防塵されるべき部分を塞ぐ防塵ネットを実質的に交換する技術が記載されている。この技術によれば、防塵ネットの脱着並びに清掃に費やす時間と労力を削減でき、その結果、大きな負担なく、常に防塵ネットを目詰まりのない状態に維持しておくことができる。
【先行技術文献】
【特許文献】
【０００６】
【特許文献１】実開平４−１２９６８４号公報
【発明の概要】
【発明が解決しようとする課題】
【０００７】
しかしながら、特許文献１に記載の技術は、防塵ネットの巻き取り側、巻き戻し側とも大きな収容スペースを予め確保する必要がある。また、一度使用されてローラに巻き付けられた防塵ネットは、新しいものに交換するか清掃をしなければならず、結局手間がかかってしまう。また、防塵ネットを新しいものに交換することは不経済である。
【０００８】
本発明は、かかる問題点に鑑みてなされたものであって、大きなスペースを必要とせずに防塵ネットの清掃を簡易に行うことができ、作業者に負担をかけずに、防塵ネットを交換することなく長期にわたって目詰まりのない良好な状態に維持することができる建設機械の防塵装置を提供することを課題とする。
【課題を解決するための手段】
【０００９】
本発明に係る建設機械の防塵装置は、ファンによる気流によって冷却される熱源の防塵を行う建設機械の防塵装置において、前記建設機械の熱源を冷却する前記気流の通り道で該熱源よりも前記気流の上流側に設けられ、該気流中の塵埃を取り除く防塵ネットと、該防塵ネットの前記気流の上流側の面に当接しつつ該防塵ネットと平行に移動可能に構成した清掃用ブラシと、を備えることにより、上記課題を解決したものである。
【００１０】
本発明では、防塵ネットの外側の面（熱源に向かう気流の上流側の面）に当接しつつ該防塵ネットと平行に移動可能に構成した清掃用ブラシを備えている。この結果、大きなスペースを必要とせずに防塵ネットの清掃作業を簡易に行うことができ、作業者に負担をかけずに、防塵ネットを目詰まりのない良好な状態に維持することができ、防塵ネットを交換することなく長期にわたって防塵ネットの目詰まりによるオーバーヒートを防止することができる。
【００１１】
前記清掃用ブラシは、例えば油圧アクチュエータまたは電動モータにて駆動することができる。
【００１２】
前記防塵装置において、更に、前記防塵ネットの両面間の気圧差を検出するための気圧検出センサを備えさせ、前記ファンが作動中に該気圧差が所定の値以上となったとき、前記防塵ネットの目詰まりが発生したと判断するように構成してもよい。また、前記防塵装置において、更に、前記防塵ネットの下流側の風量を検出する風量センサを備えさせ、前記ファンが作動中に該風量が所定の値以下となったとき、前記防塵ネットの目詰まりが発生したと判断するように構成してもよい。
【００１３】
前記防塵ネットの目詰まりが発生したと判断されたとき、警告を発するように構成した場合、警告が発せられると、オペレータはなるべく短時間のうちに一旦作業を中断し、防塵ネットの清掃作業に入ることが促されるので、不具合の発生を未然に防止することができる。
【００１４】
前記防塵ネットの目詰まりが発生したと判断されたとき、前記ファンを停止させるとともに、前記清掃用ブラシを移動させて自動的に清掃作業に入るように構成してもよい。これにより、清掃作業に入る際に作業者にかける負担をより小さくすることができる。
【００１５】
また、前記清掃用ブラシを移動させている間、清掃作業中であることの告知を行うように構成した場合、清掃作業中の装置の再運転を防止することができ、不具合の発生を未然に防止することができる。
【００１６】
前記清掃用ブラシの移動により前記防塵ネットから払い落とされた塵埃を収容する収容部を備え、かつ、該収容部に収容された塵埃の重量が所定の値を超えると、該収容部に収容された塵埃が自動的に外部に排出されるように構成されている場合、前記防塵ネットから払い落とされた塵埃が過剰に蓄積されることによる不具合の発生を未然に防止することができる。
【発明の効果】
【００１７】
本発明によれば、大きなスペースを必要とせずに防塵ネットの清掃を簡易に行うことができ、作業者に負担をかけずに、防塵ネットを交換することなく長期にわたって目詰まりのない良好な状態に維持することができる。
【図面の簡単な説明】
【００１８】
【図１】本発明の第１実施形態に係る防塵装置１０を示す斜視図
【図２】図１のＩＩ−ＩＩ線断面を模式的に示す断面図
【図３】本発明の第２実施形態に係る防塵装置６０を示す斜視図
【図４】図３のＩＶ−ＩＶ断面を模式的に示す断面図
【図５】本発明の第３実施形態に係る防塵装置７０を示す分解斜視図
【図６】防塵装置７０のリニアガイド７２を長手方向から見た模式的な側面図
【発明を実施するための形態】
【００１９】
以下図面に基づいて、本発明に係る防塵装置の好適な実施形態の例について詳細に説明する。以下の説明では、熱源を建設機械のラジエータとした場合について説明するが、本発明に係る防塵装置を適用可能な熱源はこれに限定されず、ファンによる気流によって冷却される熱源であれば適用可能である。
【００２０】
図１は本発明の第１実施形態に係る建設機械の防塵装置１０を示す斜視図であり、図２は図１のＩＩ−ＩＩ線断面を模式的に示す断面図である。図２では説明の都合上、冷却ファン２８等も追記している。
【００２１】
この防塵装置１０は、防塵ネット１２と、清掃用ブラシ１４と、リニアガイドレール１６と、走行子１８と、油圧シリンダ２０と、を有してなる。
【００２２】
防塵ネット１２は、ラジエータ（熱源）２２の前面を覆うように配置されており、冷却ファン２８によって発生したラジエータ２２に向かう気流の通り道に、ラジエータ２２よりも上流側に設けられ、該気流中の塵埃を取り除き、外部からラジエータ２２の表面へと塵埃が浸入しないようにする役割を有する。防塵ネット１２は、例えば金属材料や樹脂材料からなる線材を縦横に編み込んだ網状のネットである。その網目は、気流を大きな抵抗なく通過させることができ、かつ、気流中の塵や埃を捕捉できる程度の目の細かさに設定されている。防塵ネット１２の四辺は、金属材料や樹脂材料からなる額縁状の外枠に取り付けられている。
【００２３】
清掃用ブラシ１４は、防塵ネット１２の外面１２Ａ（冷却ファン２８によって発生したラジエータ２２に向かう気流の上流側の面（ラジエータ２２のある側とは反対側の面））に略垂直に当接しつつ防塵ネット１２と平行な方向に移動して、防塵ネット１２に付着した塵や埃を払い落とす役割を有する。清掃用ブラシ１４の長さは、図１の防塵ネット１２の縦方向と略同等の長さであり、本実施形態では、清掃用ブラシ１４は水平方向（図１において横方向）に移動する。ただし、清掃用ブラシ１４を、鉛直方向（図１において縦方向）に移動するように構成してもよい。
【００２４】
清掃用ブラシ１４の両端部は走行子１８に取り付けられている。走行子１８はローラベアリング１８Ａを備えており、リニアガイドレール１６のスリット１６Ａに沿って水平方向（図１においては横方向）に移動できるようになっている。リニアガイドレール１６は、ラジエータ２２の上端部および下端部に設けられた取り付け部材２４にボルト２６によって取り付けられており、長手方向が水平方向（図１において横方向）となるように取り付けられている。清掃用ブラシ１４の中央部１４Ａに、油圧シリンダ２０のロッド２０Ａの先端が取り付けられており、ロッド２０Ａが水平方向（図１において横方向）に伸縮することにより、清掃用ブラシ１４は水平方向（図１において横方向）に移動できるようになっている。ロッド２０Ａは防塵ネット１２の前面に位置するが、ロッド２０Ａは円柱状であり、かつ、ロッド２０Ａの防塵ネット１２への投影面積は小さいので、ロッド２０Ａは防塵ネット１２に流れ込む気流に対する大きな抵抗とはならない。
【００２５】
ラジエータ２２を中心として防塵装置１０とは反対側に、冷却ファン２８が配置されている。冷却ファン２８は、クラッチ３０を介してエンジン３２からの回転駆動力が伝達されて回転し、外部から気流を取り込み、防塵ネット１２を通過してラジエータ２２へと向かう気流を生み出す。
【００２６】
防塵ネット１２の前方には気圧検出センサ３４が設けられ、ラジエータ２２と冷却ファン２８との間には気圧検出センサ３６が設けられている。気圧検出センサ３４、３６は、冷却ファン２８の作動時にそれぞれ防塵ネット１２の上流側、下流側の気圧を検出する。気圧検出センサ３４、３６が検出した気圧データは、それぞれ電気信号線３８、４０を介してコントローラ４２に伝達される。
【００２７】
コントローラ４２は、気圧検出センサ３４、３６から送られた気圧データに基づき防塵ネット１２の両面間の圧力差を算出し、算出した圧力差が所定の値以上となったとき、防塵ネット１２の目詰まりが発生したと判断し、警告ランプ４４を点灯させる。警告ランプ４４が点灯した状態において、建設機械の操作レバーの操作状況から建設機械の運転が終了したとコントローラ４２が判断すると、コントローラ４２は、清掃中ランプ５４を点灯させて、清掃作業開始をオペレータに告知する。その後、コントローラ４２は、電気信号線５２を介してクラッチ３０に電気信号を送って、クラッチ３０を切り、エンジン３２からの回転駆動力が冷却ファン２８へと伝達されないようにし、冷却ファン２８の回転を停止させる。そして、コントローラ４２は、油圧シリンダ２０の電磁切換弁４６のソレノイド部４６Ａ、４６Ｂに電気信号線４８、５０を介して電気信号を送り、電磁切換弁４６のスプールの位置を切り換えて、清掃用ブラシ１４が防塵ネット１２の端から端へと移動するように油圧シリンダ２０のロッド２０Ａを駆動し、防塵ネット１２に堆積した塵埃を払い落とす。
【００２８】
防塵ネット１２の下方には、防塵ネット１２に沿った細長い形状の塵埃収容部５６が設けられている。清掃用ブラシ１４が防塵ネット１２の外面１２Ａに当接しつつ防塵ネット１２の端から端へと移動することによって払い落とされた塵や埃は塵埃収容部５６に収容される。塵埃収容部５６の底面部５６Ａは板状のゴム材料で形成されているとともに片側だけ固定されて片持ちの状態となっており、収容された塵埃５８の重量が所定の重量を超えると自動的に下部へと落下して排出されるようになっている。
【００２９】
なお、気圧検出センサ３４、３６に替えて、風量センサをラジエータ２２と冷却ファン２８との間に設け、ラジエータ２２に送られる気流の風量データをコントローラ４２に送るように構成し、ラジエータ２２に送られる気流の風量が所定の値以下になったとき、警告ランプ４４を点灯させるようにしてもよい。
【００３０】
また、警告ランプ４４の点灯に替えて、あるいは警告ランプ４４の点灯とともに、ブザーに警告音を発せさせて警告をするようにしたり、他の表示装置を用いて警告をするようにしてもよい。
【００３１】
また、清掃中ランプ５４の点灯に替えて、あるいは清掃中ランプ５４の点灯とともに、ブザーに告知音を発せさせて清掃中であることを告知するようにしたり、他の表示装置を用いて清掃中であることの告知をするようにしてもよい。
【００３２】
また、本実施形態では冷却ファン２８への回転駆動力の伝達はクラッチ３０を介して行われているので、クラッチ３０を切ることによりエンジン３２を停止させずに冷却ファン２８を停止させることができるが、クラッチ３０がない場合にはエンジン３２を停止させて冷却ファン２８を停止させてから清掃作業に入ることとなる。したがって、クラッチ３０がない場合、エンジン３２を停止させる必要があるため、清掃用ブラシ１４の駆動に油圧を用いることができない。そのため、クラッチ３０がない場合、動力が油圧である油圧シリンダ２０に替えて、動力が電力である電動のシリンダを用いる。
【００３３】
以上説明したように、防塵装置１０は、防塵ネット１２と、清掃用ブラシ１４と、リニアガイドレール１６と、走行子１８と、油圧シリンダ２０と、を主要な構成要素としており、大きなスペースを必要としない。
【００３４】
次に、第１実施形態に係る防塵装置１０の作用について説明する。
【００３５】
建設機械をある程度以上の時間運転すると、防塵ネット１２への塵や埃の堆積量が増え、気流が防塵ネット１２を通過しにくくなり、防塵ネット１２の両面間の気圧差が大きくなる（ラジエータ２２に送られる風量が小さくなる）。気圧検出センサ３４、３６から電気信号線３８、４０を介して送られる気圧データに基づき、コントローラ４２が防塵ネット１２の両面間の気圧差が所定の値以上になったと判断すると、コントローラ４２は警告ランプ４４を点灯させる。警告ランプ４４の点灯により、オペレータはラジエータ２２に送られる気流の風量が小さくなっており、この後さらに運転を続けるとオーバーヒートのおそれがあるということを認識することができる。
【００３６】
警告ランプ４４の点灯を認識すると、オペレータはなるべく短時間のうちに一旦建設機械による作業を中断し、防塵ネット１２の清掃作業に入ることを促される。そして、実際にオペレータが建設機械による作業を中断させ、建設機械の操作レバーの操作状況から建設機械の運転が終了したとコントローラ４２が判断すると、コントローラ４２は、清掃中ランプ５４を点灯させて、清掃作業開始をオペレータに告知する。その後、コントローラ４２は、電気信号線５２を介してクラッチ３０に電気信号を送って、クラッチ３０を切り、エンジン３２からの回転駆動力が冷却ファン２８へと伝達されないようにし、冷却ファン２８の回転を停止させる。そして、コントローラ４２は、油圧シリンダ２０の電磁切換弁４６のソレノイド部４６Ａ、４６Ｂに電気信号線４８、５０を介して電気信号を送り、電磁切換弁４６のスプールの位置を切り換えて、清掃用ブラシ１４が防塵ネット１２の外面１２Ａに当接しつつ防塵ネット１２の端から端へと移動するように油圧シリンダ２０のロッド２０Ａを駆動する。清掃用ブラシ１４は防塵ネット１２の外面１２Ａに当接しつつ防塵ネット１２と平行に移動するので、防塵ネット１２に堆積していた塵や埃は清掃用ブラシ１４によって払い落とされて下方に落下し、塵埃収容部５６に収容されていく。
【００３７】
清掃作業中においては、建設機械の運転を防止するため、清掃作業中は常に清掃中ランプ５４を点灯させておくことによりオペレータに注意を促す。また、清掃中ランプ５４の点灯中は建設機械の運転をできないように構成してもよい。
【００３８】
このように、本実施形態に係る防塵装置１０を用いることにより、大きなスペースを必要とせずに防塵ネット１２の清掃作業を簡易に行うことができ、作業者に負担をかけずに、防塵ネット１２を目詰まりのない良好な状態に維持することができ、防塵ネット１２を交換することなく長期にわたって、防塵ネット１２の目詰まりによるオーバーヒートを防止することができる。また、冷却ファン２８を逆回転させ、防塵ネット１２に付着したゴミを吹き飛ばすための大がかりな装置も不要であり、低コストに防塵ネット１２を目詰まりのない良好な状態に維持してオーバーヒートを防止することができる。
【００３９】
なお、冷却ファン２８が回転している最中に清掃用ブラシ１４を防塵ネット１２の外面１２Ａに当接させつつ防塵ネット１２の端から端へと移動させても、防塵ネット１２を通過してラジエータ２２に向かう気流が存在しているため、防塵ネット１２に堆積していた塵や埃は下方に落下せず、防塵ネット１２から払い落とされないので、冷却ファン２８の回転を停止させてから清掃作業に入る。
【００４０】
また、塵埃収容部５６に収容された塵埃５８の重量が所定の重量を超えると自動的に下部へと落下して排出されるようになっているので、塵埃収容部５６に収容された塵埃５８が多くなりすぎたことによる不具合の発生は未然に防止されている。
【００４１】
以上説明した第１実施形態に係る防塵装置１０では、警告ランプ４４が点灯している状況で、建設機械の操作レバーの操作状況から建設機械の運転が終了したとコントローラ４２が判断すると、自動的に清掃作業に入るように構成したが、自動的に清掃作業に入る構成に替えて、あるいは自動的に清掃作業に入る構成とともに、清掃作業開始スイッチ（図示せず）を設け、オペレータが該清掃作業開始スイッチを押すことにより、清掃作業に入るようにする構成にしてもよい。また、自動的に清掃作業に入るか否かを切り換える自動清掃スイッチ（図示せず）を別途設けてもよく、このようなスイッチを設けておくと、作業性を重視したいときに、（ある程度の目詰まりの段階までは）自動清掃に入らないように構成できるため便利である。
【００４２】
次に、本発明の第２実施形態に係る防塵装置６０について説明する。図３は本発明の第２実施形態に係る防塵装置６０を示す斜視図であり、図４は図３のＩＶ−ＩＶ断面を模式的に示す断面図である。第１実施形態に係る防塵装置１０と同一の構成には同一の符号を付し説明は省略する。
【００４３】
第１実施形態に係る防塵装置１０では、油圧シリンダ２０による駆動力によって清掃用ブラシ１４を防塵ネット１２の外面１２Ａに当接させつつ防塵ネット１２の端から端へと移動させていたが、第２実施形態に係る防塵装置６０では、油圧シリンダ２０に替えて油圧リニアアクチュエータ６２を設けている。油圧リニアアクチュエータ６２の走行子６２Ａの動きは、電磁切換弁６４により制御される。油圧シリンダ２０は可動部であるロッド２０Ａが片持ちで支持されているのに対し、油圧リニアアクチュエータ６２では可動部である走行子６２Ａがその全長にわたってテーブル６２Ｂで支持されているので、油圧リニアアクチュエータ６２の方が清掃用ブラシ１４を移動させる際の安定性に優れる。
【００４４】
なお、第１実施形態の場合と同様、クラッチ３０がない場合、エンジン３２を停止させる必要があるため、清掃用ブラシ１４の駆動に油圧を用いることができない。そのため、クラッチ３０がない場合、動力が油圧である油圧リニアアクチュエータ６２に替えて、動力が電力である電動のリニアアクチュエータを用いる。
【００４５】
次に、本発明の第３実施形態に係る防塵装置７０について説明する。図５は本発明の第３実施形態に係る防塵装置７０を示す分解斜視図であり、図６は防塵装置７０のリニアガイドレール７２を長手方向から見た模式的な側面図である。第１実施形態に係る防塵装置１０と同一の構成には原則として同一の符号を付し説明は省略する。
【００４６】
第１および第２実施形態に係る防塵装置１０、６０では、リニアガイドレール１６のスリット１６Ａを走行する走行子は駆動力を発生させることができず、油圧シリンダ２０あるいは油圧リニアアクチュエータ６２からの駆動力により走行していたが、第３実施形態に係る防塵装置７０では、上側の電動走行子７４は、ギヤ７４Ａ、電動モータ７４Ｂおよびガイド７４Ｃを含んでなるとともに、リニアガイドレール７２のスリット７２Ａには内歯７２Ｂを付け、さらに、リニアガイドレール７２の断面形状をチャンネル型にしており、上側の電動走行子７４は自力で移動することができる。このため、清掃用ブラシ１４を移動させるための駆動系をコンパクトにすることができる。また、第３実施形態に係る防塵装置７０では、電動走行子７４は防塵ネット１２の前面に位置せず、清掃用ブラシ１４を移動させるための駆動系がラジエータ２２に吹き込む気流を遮らないので、ラジエータ２２に吹き込む気流の風量は、第１実施形態に係る防塵装置１０や第２実施形態に係る防塵装置６０よりも多くなる。
【００４７】
ただし、上側の走行子を電動走行子７４にして、清掃用ブラシ１４の上端部にのみ駆動力を作用させて清掃用ブラシ１４を移動させるので、清掃用ブラシ１４の中央部に駆動力を作用させる第１実施形態に係る防塵装置１０や第２実施形態に係る防塵装置６０よりも移動が安定しないおそれがある。この場合には、上側の走行子だけでなく、下側の走行子７６も上側の電動走行子７４と同様の構成にするとともに、下側のリニアガイドレール７８も上側のリニアガイドレール７２と同様の構成にし、上側と下側の両方の走行子を同期させて駆動力を発生させればよい。
【００４８】
なお、以上説明した第１〜第３実施形態に係る防塵装置１０、６０、７０では、清掃用ブラシ１４は油圧または電力で駆動されるように構成したが、油圧または電力で駆動する機構（油圧シリンダ２０、油圧リニアアクチュエータ６２、電動走行子７４）は設けず、清掃用ブラシ１４を移動させるためのガイド機構（清掃用ブラシを防塵ネットの気流の上流側の面に当接しつつ該防塵ネットと平行に移動可能とする機構）のみを設けて、清掃用ブラシ１４を人の手により往復させるように構成してもよい。
【産業上の利用可能性】
【００４９】
ファンによる気流によって冷却される熱源を有する建設機械等において、該熱源の防塵を行う防塵装置として好適に用いることができる。
【符号の説明】
【００５０】
１０、６０、７０…防塵装置
１２…防塵ネット
１２Ａ…外面
１４…清掃用ブラシ
１６…リニアガイドレール
１６Ａ…スリット
１８…走行子
２０…油圧シリンダ
２０Ａ…ロッド
２２…ラジエータ（熱源）
２４…取り付け部材
２８…冷却ファン
３０…クラッチ
３２…エンジン
３４、３６…気圧検出センサ
３８、４０、４８、５０、５２…電気信号線
４２…コントローラ
４４…警告ランプ
４６…電磁切換弁
５４…清掃中ランプ
５６…塵埃収容部
５６Ａ…底面部
５８…塵埃
６２…油圧リニアアクチュエータ
６２Ａ…走行子
６２Ｂ…テーブル
７２…リニアガイドレール
７２Ａ…スリット
７２Ｂ…内歯
７４…電動走行子
７４Ａ…ギヤ
７４Ｂ…モータ
７４Ｃ…ガイド
【図１】
2010215199.tif 000003
【図２】
2010215199.tif 000004
【図３】
2010215199.tif 000005
【図４】
2010215199.tif 000006
【図５】
2010215199.tif 000007
【図６】
2010215199.tif 000008